(57)【要約】【課題】ユーザーによる選択回数を少なくし、印刷装置を駆動させるための条件の設定を速やかに完了させることができる表示制御装置、印刷装置及び表示制御方法を提供する。【解決手段】表示装置４１を制御する表示用コントローラー部７０は、表示装置４１が各機能のうち何れか一つの機能を選択させるための機能選択用画面を表示する状態で、各機能のうち何れか一つの機能が選択された場合に、該選択された機能の選択回数を計数し、該計数した選択回数を機能毎に管理する回数管理部７３と、基準画面を、機能選択用画面から回数管理部７３によって管理される選択回数が最も多い機能に対応する画面に変更する基準変更部７４と、電力供給が開始されたことを契機に初動処理を複合機が実行した場合には、基準画面を表示装置４１に表示させる表示制御部７５と、を備えている。【選択図】図３
2012135937.tif 000002
【特許請求の範囲】
【請求項１】
印刷機能と該印刷機能以外の他の機能とを実行可能な印刷装置に搭載され、該印刷装置に設けられた表示装置を制御する表示制御装置において、
前記表示装置が前記各機能のうち何れか一つの機能を選択させるための機能選択用画面を表示する状態で、前記各機能のうち何れか一つの機能が選択された場合に、該選択された機能の選択回数を計数する計数手段と、
前記計数手段によって計数された選択回数を機能毎に管理する回数管理手段と、
基準画面を、前記機能選択用画面から前記回数管理手段によって管理される選択回数が最も多い機能に対応する画面に変更する基準変更手段と、
電力供給が開始されたことを契機に初動処理を前記印刷装置が実行した場合には、前記基準画面を前記表示装置に表示させる表示制御手段と、を備えることを特徴とする表示制御装置。
【請求項２】
前記基準変更手段は、前記回数管理手段によって管理される選択回数が予め設定された回数基準値以上となる機能がある場合には、前記基準画面を当該機能に対応する画面に変更することを特徴とする請求項１に記載の表示制御装置。
【請求項３】
前記機能に対応する画面は、該機能を前記印刷装置で実行させる際に必要な複数種類の条件のうち、変更する条件を選択させるための条件選択用画面であり、
前記表示制御手段は、
前記表示装置が条件選択用画面を表示する状態で前記各種条件のうち何れか一つの条件が選択された場合には、
該選択された条件に対応する画面を前記表示装置に表示させることを特徴とする請求項１又は請求項２に記載の表示制御装置。
【請求項４】
印刷機能を前記印刷装置に実行させるために必要な条件は、印刷される媒体のサイズを含み、
時期を取得する時期取得手段と、
時期に特有の媒体のサイズを記憶するサイズ記憶手段と、をさらに備え、
前記表示制御手段は、
前記時期取得手段によって取得された時期に特有の媒体のサイズが前記サイズ記憶手段に記憶されない場合において、前記表示装置が印刷機能に対応する条件選択用画面を表示する状態で、前記各種条件のうち、印刷する媒体のサイズが選択されたときには、
媒体のサイズを設定させるための画面を前記表示装置に表示させ、その後、媒体のサイズが設定された場合には媒体の種類を設定させるための画面を前記表示装置に表示させる一方、
前記時期取得手段によって取得された時期に特有の媒体のサイズが前記サイズ記憶手段に記憶される場合において、前記表示装置が印刷機能に対応する条件選択用画面を表示する状態で、前記各種条件のうち、印刷する媒体のサイズが選択されたときには、
媒体の種類を設定させるための画面を前記表示装置に表示させることを特徴とする請求項３に記載の表示制御装置。
【請求項５】
印刷機能と該印刷機能以外の他の機能とを実行可能な印刷装置であって、
請求項１〜請求項４のうち何れか一項に記載の表示制御装置と、
前記表示制御装置によって表示態様が制御される表示装置と、を備えることを特徴とする印刷装置。
【請求項６】
前記印刷機能以外の他の機能は、画像読み取り機能及びファクシミリ機能のうち少なくとも一つの機能を含むことを特徴とする請求項５に記載の印刷装置。
【請求項７】
印刷機能と該印刷機能以外の他の機能とを実行可能な印刷装置に設けられた表示装置の表示制御方法において、
前記各機能のうち何れか一つの機能を選択させるための機能選択用画面を前記表示装置に表示させた状態で、前記各機能のうち何れか一つの機能が選択された場合に、該選択された機能の選択回数を計数させる計数ステップと、
基準画面を、前記機能選択用画面から前記計数ステップで計数した選択回数が最も多い機能に対応する画面に変更させる基準変更ステップと、を有し、
電力供給が開始されたことを契機に初動処理を前記印刷装置に実行させた場合には、前記基準画面を前記表示装置に表示させることを特徴とする表示制御方法。
【発明の詳細な説明】
【技術分野】
【０００１】
本発明は、印刷機能と該印刷機能以外の他の機能とを実行可能な印刷装置に搭載され、該印刷装置に設けられた表示装置を制御する表示制御装置及び表示制御方法に関する。また、本発明は、印刷機能と該印刷機能以外の他の機能とを実行可能であって且つ表示制御装置を備える印刷装置に関する。
【背景技術】
【０００２】
従来、印刷機能を実行可能な印刷装置を備えるシステムとして、例えば特許文献１に記載のシステムが提案されている。この特許文献１には、ユーザーからのヘルプ要求に対して、現在のシステムの状態だけではなく、過去のシステムの状態の履歴をも利用してディスプレイに表示させるヘルプメッセージを決定する旨が記載されている。
【０００３】
ところで、近年では、印刷装置として、印刷機能と該印刷機能以外の他の機能とを実行可能な複合機の開発が進められている。こうした複合機には表示装置が設けられており、複合機のメモリーにはユーザーに選択を促すための複数の選択用画面のデータが用意されている。そして、ユーザーによる選択操作に応じて、表示装置に表示させる選択用画面が適切に変更されるようになっている。
【０００４】
例えば、複合機への電力供給が開始されると、表示装置には複合機に実行させる機能の選択を促す第１画面が表示される。この状態で各機能のうち一の機能（例えば、印刷機能）が選択された場合、表示装置には、変更させる印刷条件（例えば、用紙サイズ、印刷品質）の選択を促す第２画面が表示される。そして、変更させる印刷条件（例えば、用紙サイズ）が選択された場合、表示装置には、印刷を施す用紙サイズ（例えば、Ａ４サイズ、葉書サイズ）の選択を促す第３画面が表示される。すなわち、表示装置に表示させる画面は、階層的に用意されている。
【先行技術文献】
【特許文献】
【０００５】
【特許文献１】特開平２−２１６５１６号公報
【発明の概要】
【発明が解決しようとする課題】
【０００６】
ところで、ユーザーの中には、複合機に特定の機能（例えば、葉書への印刷）しか実行させないユーザーが存在している。こうしたユーザーにとって、複合機を利用する度に、各機能のうち印刷機能を選択したり、複合機で印刷可能な用紙サイズの中から葉書サイズを選択したりすることは非常に煩雑である。そこで、ユーザーによる選択回数を少なくし、複合機を駆動させるための条件を速やかに設定させることが可能な表示制御技術が希求されている。
【０００７】
本発明は、上記問題点に鑑みてなされたものであり、その目的は、ユーザーによる選択回数を少なくし、印刷装置を駆動させるための条件の設定を速やかに完了させることができる表示制御装置、印刷装置及び表示制御方法を提供することにある。
【課題を解決するための手段】
【０００８】
上記目的を達成するために、本発明は、印刷機能と該印刷機能以外の他の機能とを実行可能な印刷装置に搭載され、該印刷装置に設けられた表示装置を制御する表示制御装置において、前記表示装置が前記各機能のうち何れか一つの機能を選択させるための機能選択用画面を表示する状態で、前記各機能のうち何れか一つの機能が選択された場合に、該選択された機能の選択回数を計数する計数手段と、前記計数手段によって計数された選択回数を機能毎に管理する回数管理手段と、基準画面を、前記機能選択用画面から前記回数管理手段によって管理される選択回数が最も多い機能に対応する画面に変更する基準変更手段と、電力供給が開始されたことを契機に初動処理を前記印刷装置が実行した場合には、前記基準画面を前記表示装置に表示させる表示制御手段と、を備える。
【０００９】
上記構成によれば、印刷装置で実行可能な各機能のうち何れか一つの機能がユーザーによって選択されると、その選択回数が計数される。こうした選択回数は、機能毎に回数管理手段で管理される。そして、電力供給が開始されたことを契機に初動処理を印刷装置が実行した場合に表示装置が表示する基準画面は、回数管理手段によって管理される選択回数が最も多い機能に対応する画面に変更される。選択回数が最も多い機能とは、ユーザーが利用する可能性が最も高い機能である。そのため、ユーザーによって機能が改めて選択される可能性が低くなる。したがって、ユーザーによる選択回数を少なくし、印刷装置を駆動させるための条件の設定を速やかに完了させることができる。
【００１０】
本発明の表示制御装置において、前記基準変更手段は、前記回数管理手段によって管理される選択回数が予め設定された回数基準値以上となる機能がある場合には、前記基準画面を当該機能に対応する画面に変更する。
【００１１】
上記構成によれば、選択回数が回数基準値以上となる機能がある場合には、基準画面が、機能選択用画面から選択回数が回数基準値以上となる機能に対応する画面に変更される。その一方で、選択回数が回数基準値以上となる機能がない場合、基準画面は機能選択用画面で維持される。ここで、回数基準値を、ユーザーによる機能の選択の傾向を適切に把握するために設定された値とした場合には、ユーザーの意図に反して、基準画面が不用意に変更されることを回避することができる。
【００１２】
本発明の表示制御装置において、前記機能に対応する画面は、該機能を前記印刷装置で実行させる際に必要な複数種類の条件のうち、変更する条件を選択させるための条件選択用画面であり、前記表示制御手段は、前記表示装置が条件選択用画面を表示する状態で前記各種条件のうち何れか一つの条件が選択された場合には、該選択された条件に対応する画面を前記表示装置に表示させる。
【００１３】
上記構成によれば、機能に対応する画面として条件選択用画面を表示装置に表示させることにより、当該機能を印刷装置で実行させるために必要な各種条件のうち、内容を変更させる条件の選択がユーザーに促される。そして、ユーザーによって内容を変更させる条件が選択されると、該選択された条件に対応する画面が表示され、条件の内容の設定がユーザーに促される。すなわち、ユーザーが所望する機能を印刷装置に実行させる際における条件の設定を、適切に補助することができる。
【００１４】
本発明の表示制御装置は、印刷機能を前記印刷装置に実行させるために必要な条件は、印刷される媒体のサイズを含み、時期を取得する時期取得手段と、時期に特有の媒体のサイズを記憶するサイズ記憶手段と、をさらに備え、前記表示制御手段は、前記時期取得手段によって取得された時期に特有の媒体のサイズが前記サイズ記憶手段に記憶されない場合において、前記表示装置が印刷機能に対応する条件選択用画面を表示する状態で、前記各種条件のうち、印刷する媒体のサイズが選択されたときには、媒体のサイズを設定させるための画面を前記表示装置に表示させ、その後、媒体のサイズが設定された場合には媒体の種類を設定させるための画面を前記表示装置に表示させる一方、前記時期取得手段によって取得された時期に特有の媒体のサイズが前記サイズ記憶手段に記憶される場合において、前記表示装置が印刷機能に対応する条件選択用画面を表示する状態で、前記各種条件のうち、印刷する媒体のサイズが選択されたときには、媒体の種類を設定させるための画面を前記表示装置に表示させる。
【００１５】
上記構成によれば、時期特有の媒体のサイズとは、その時期に印刷でよく利用される媒体のサイズ（例えば、葉書サイズ、写真サイズ）のことを示している。本発明では、時期特有の媒体のサイズがサイズ記憶手段に記憶されている。そして、取得した時期に特有の媒体のサイズがサイズ記憶手段に記憶されていない場合において、印刷時の各種条件のうち、変更する条件として媒体のサイズをユーザーが選択したときには、媒体のサイズを設定するための画面が表示装置に表示される。この状態で、媒体のサイズの選択が完了すると、表示装置には、媒体の種類（例えば、普通紙、再生紙）を選択するための画面が表示される。すなわち、印刷機能を印刷装置に実行させるために、媒体のサイズをユーザーに選択させ、続いて、媒体の種類をユーザーに選択させる。
【００１６】
その一方で、取得した時期に特有の媒体のサイズがサイズ記憶手段に記憶される場合において、印刷時の各種条件のうち、変更する条件として媒体のサイズをユーザーが選択したときには、表示装置は、媒体のサイズを選択するための画面ではなく、媒体の種類を選択するための画面を表示する。つまり、ユーザーによる選択操作がなされる前に、媒体のサイズは決定済みであるとされ、その次の条件の設定が促される。換言すると、印刷を施す媒体のサイズは、ユーザーによる選択がなされない状態で、取得した時期に特有の媒体のサイズに自動的に設定される。そのため、印刷を施す媒体のサイズとして時期に特有の媒体のサイズを選択して印刷を行う予定のユーザーにとっては、媒体のサイズを選択する手間を省ける分、条件設定時におけるユーザーによる選択回数を少なくすることができる。
【００１７】
本発明は、印刷機能と該印刷機能以外の他の機能とを実行可能な印刷装置であって、上記表示制御装置と、前記表示制御装置によって表示態様が制御される表示装置と、を備える。
【００１８】
上記構成によれば、表示装置に表示される画面を視認しつつ、ユーザーは、印刷装置に実行させる機能を選択することができる。
本発明の印刷装置において、前記印刷機能以外の他の機能は、画像読み取り機能及びファクシミリ機能のうち少なくとも一つの機能を含む。
【００１９】
上記構成によれば、印刷装置は、印刷機能の他に、画像読み取り機能及びファクシミリ機能のうち少なくとも一つの機能を実行可能である。
本発明は、印刷機能と該印刷機能以外の他の機能とを実行可能な印刷装置に設けられた表示装置の表示制御方法において、前記各機能のうち何れか一つの機能を選択させるための機能選択用画面を前記表示装置に表示させた状態で、前記各機能のうち何れか一つの機能が選択された場合に、該選択された機能の選択回数を計数させる計数ステップと、基準画面を、前記機能選択用画面から前記計数ステップで計数した選択回数が最も多い機能に対応する画面に変更させる基準変更ステップと、を有し、電力供給が開始されたことを契機に初動処理を前記印刷装置に実行させた場合には、前記基準画面を前記表示装置に表示させる。
【００２０】
上記構成によれば、上記表示制御装置と同等の作用・効果を得ることができる。
【図面の簡単な説明】
【００２１】
【図１】本発明の表示制御装置を備える複合機の一実施形態を示す概略斜視図。
【図２】複合機の電気的構成を示すブロック図。
【図３】コンピューターの機能構成の要部を示すブロック図。
【図４】（ａ）（ｂ）（ｃ）（ｄ）は表示装置に表示される画面を示す模式図。
【図５】時期及び仕向け国と用紙サイズとの対応関係を示すテーブル。
【図６】機能と選択回数との対応関係を示すテーブル。
【図７】基準変更処理ルーチンを説明するフローチャート。
【図８】印刷条件判定処理ルーチンを説明するフローチャート。
【発明を実施するための形態】
【００２２】
以下、本発明を具体化した一実施形態を図１〜図８に基づいて説明する。
図１に示すように、印刷装置の一例としての複合機１１は、媒体の一例としての用紙Ｐに対して印刷を施す印刷機能と、該印刷機能以外の他の機能の一例としての画像読み取り機能とを実行可能である。こうした複合機１１の本体ケース１２の上面は、画像読み取りを行う原稿（図示略）を設置する原稿台１３となっている。また、本体ケース１２には、原稿台１３を覆うことが可能なカバー１４が開閉可能に設けられている。こうした本体ケース１２の下側部分は用紙Ｐに対して印刷を施す機能駆動部の一例としてのプリンター部２０であると共に、本体ケース１２の上側部分は原稿台１３に設置された原稿の画像読み取りを行う機能駆動部の一例としてのスキャナー部３０となっている。
【００２３】
図１及び図２に示すように、プリンター部２０は、用紙Ｐを本体ケース１２内に給紙する自動給紙装置（ＡＳＦ（Auto Sheet Feeder））２１と、自動給紙装置２１によって本体ケース１２内に給紙された用紙Ｐに対して印刷を施すインク噴射部２２とを備えている。自動給紙装置２１には、本体ケース１２の後面部に配置されると共に印刷前の用紙Ｐがセットされるサポート２１１と、本体ケース１２の前面に配置されると共に該本体ケース１２から排出された用紙Ｐを受け取る排出部２１２とが設けられている。インク噴射部２２には、用紙Ｐに対してインク滴を吐出する記録ヘッド２２１が設けられている。そして、サポート２１１にセットされた用紙Ｐは、自動給紙装置２１によって本体ケース１２内に給紙されると、インク噴射部２２によって印刷が施される。その後、印刷済みとなった用紙Ｐは、自動給紙装置２１によって本体ケース１２内から排出部２１２に排出される。
【００２４】
スキャナー部３０は、原稿台１３にセットされた原稿に光を照射するランプ３１と、原稿の画像を画像データとして取得するＣＣＤ（電荷結合素子）３２と、ＣＣＤ３２を走査（移動）させるためのスキャナー駆動部３３とを備えている。原稿台１３上にセットされた原稿から画像データを取得するための画像読み取り動作（「スキャン動作」ともいう。）時には、ランプ３１から原稿台１３を通して原稿に光が照射され、該原稿からの反射光をＣＣＤ３２にて検出することで原稿の画像が画像データとして読み取られる。そして、読み取られた画像データは制御装置５０（図２参照）に転送される。
【００２５】
本体ケース１２の前面において排出部２１２の側方には、記憶媒体の一例としてのメモリーカードＭＣをセットするためのスロット１５が設けられている。このスロット１５にセットされたメモリーカードＭＣからは、該メモリーカードＭＣに記憶される画像データが制御装置５０に読み取られる。すなわち、本実施形態の複合機１１では、該複合機１１のスロット１５にセットされたメモリーカードＭＣに記憶された画像データに基づいた印刷を、外部装置などを介在させることなく行うことが可能である。もちろん、外部装置の一例としてのホスト装置が複合機１１に接続された場合、該複合機１１では、ホスト装置から受信した画像データに基づいた印刷を行うことが可能である。
【００２６】
また、本体ケース１２の前面において排出部２１２よりも上側には、複合機１１の駆動条件などを設定する際にユーザーが設定操作する操作パネル４０が設けられている。この操作パネル４０の幅方向中央部には、ディスプレイを有する表示装置４１が設けられている。この表示装置４１には、制御装置５０から指示された情報に基づいた画面が表示される。なお、ディスプレイとしては、例えば、液晶ディスプレイ、有機ＥＬディスプレイ、タッチパネル式のディスプレイが挙げられる。
【００２７】
また、操作パネル４０において表示装置４１の側方には、電源ボタン、印刷／スキャンを開始するスタートボタン及び実行中の動作を中止するストップボタンなどの各種ボタンで構成される操作部４２が設けられている。そして、操作部４２からは、ユーザーによるボタン操作（即ち、入力操作）に応じた情報が制御装置５０に入力される。
【００２８】
次に、本実施形態の複合機１１の電気的構成について図２を参照して説明する。なお、図２では、明細書の説明理解の便宜上、スロット１５の図示を省略している。
図２に示すように、複合機１１の制御装置５０は、コンピューター６０と各種ドライバー回路（図示略）とを備えている。コンピューター６０には、プリンター部２０、スキャナー部３０及び操作パネル４０が、プリンターＩ／Ｆ５１、スキャナーＩ／Ｆ５２及びユーザーＩ／Ｆ５３を介して電気的に接続されている。また、コンピューター６０には、スロット１５にセットされたメモリーカードＭＣがメモリーカードＩ／Ｆ５４を介して電気的に接続されている。
【００２９】
コンピューター６０は、ＣＰＵ６１、ＲＯＭ６２、不揮発性メモリー６３、ＲＡＭ６４、ＡＳＩＣ（（Application Specific ＩＣ（特定用途向けＩＣ））６５、及び図示しないリアルタイムクロックなどで構成されている。ＲＯＭ６２は、各種制御プログラム及び各種データなどを記憶している。不揮発性メモリー６３は、ファームウェアプログラムを始めとする各種プログラム及び印刷処理に必要な各種データなどを記憶している。ＲＡＭ６４は、メモリーカードＭＣから入力された画像データやスキャナー部３０で読み取った画像データなどを記憶する。
【００３０】
こうしたコンピューター６０は、図示しないドライバー回路を介してプリンター部２０及びスキャナー部３０を制御している。例えば、コンピューター６０を備える制御装置５０は、ＲＡＭ６４に一時記憶される印刷データに基づきプリンター部２０を制御し、用紙Ｐに対して画像を印刷する。
【００３１】
次に、本実施形態のコンピューター６０について図３を参照して説明する。
図３に示すように、コンピューター６０は、表示装置４１の制御を司る表示制御装置の一例としての表示用コントローラー部７０と、スキャナー部３０の制御を司るスキャン用コントローラー部８０と、プリンター部２０の制御を司る印刷用コントローラー部９０とを備えている。これら各コントローラー部７０，８０，９０は、ハードウェア及びソフトウェアのうち少なくとも一方により実現される機能部である。
【００３２】
表示用コントローラー部７０は、機能部として、画面記憶部７１、情報取得部７２、回数管理部７３、基準変更部７４、表示制御部７５、印刷指示部７６及びスキャン指示部７７を有している。画面記憶部７１は、表示装置４１に表示させる各種画面用の画面データを記憶している。
【００３３】
ここで、画面記憶部７１が記憶する画面データに基づいた画面の一部について、図４を参照して説明する。
図４（ａ）に示す画面は、複合機１１で実行可能な各種機能のうち何れか一つの機能を選択させるための機能選択用画面である。この機能選択用画面を表示装置４１が表示する状態で、各機能のうち何れか一つの機能がユーザーによって選択されると、該機能を複合機１１に実行させるために必要な各種条件のうち、変更を希望する条件をユーザーに選択させるための条件選択用画面が機能に対応する画面として表示される。図４（ｂ）に示す画面は、機能としてコピー機能が選択された場合における条件選択用画面である。なお、図４（ｂ）に示す条件選択用画面を表示装置４１が表示した状態で、「他機能へ」が選択されると、図４（ａ）に示す機能選択用画面が再び表示される。
【００３４】
また、条件選択用画面を表示装置４１が表示する状態で、各条件のうち何れか一つの条件がユーザーによって選択されると、当該条件の内容をユーザーに設定させるための内容設定用画面が条件に対応する画面として表示される。図４（ｃ）に示す画面は、図４（ｂ）に示す条件選択用画面を表示装置４１が表示した状態で、変更する条件（印刷条件）として「用紙設定」が選択された場合における内容設定用画面である。なお、図４（ｃ）に示す内容設定用画面を表示装置４１が表示した状態で、「バック」が選択されると、図４（ｂ）に示す条件選択用画面が再び表示される。
【００３５】
また、図４（ｃ）に示す内容設定用画面を表示装置４１が表示した状態で、各用紙サイズのうち何れか一つのサイズ（例えば、はがき）がユーザーによって選択されると、図４（ｄ）に示すように、表示装置４１には、用紙の種類を選択させるための内容設定用画面が表示される。すなわち、本実施形態では、複数種類の画面が階層的に用意されており、ユーザーの選択結果に基づき、表示装置４１に表示される画面が順次切り替るようになっている。
【００３６】
なお、ここでは、表示装置４１に表示させる画面の一例として、コピー機能が選択された画面を図４（ａ）〜（ｄ）を参照して説明した。しかし、本実施形態の画面記憶部７１には、コピー機能以外の他の機能を選択した際に表示装置４１が表示する条件選択用画面に関する画面データなども記憶している。
【００３７】
図３に戻り、情報取得部７２は、時期を特定するための時期情報及び複合機１１が出荷された出荷地域の一例としての仕向け国を特定するための国情報を取得する。時期情報は、例えば、制御装置５０の図示しないリアルタイムクロックを有する計時部７８から取得される。なお、時期情報は、複合機１１にホスト装置ＨＣが接続される場合には、該ホスト装置ＨＣから取得してもよい。また、国情報は、複合機１１が出荷される段階で用意された情報であって、情報取得部７２の図示しないメモリーに記憶されている。なお、国情報は、複合機１１にホスト装置ＨＣが接続される場合には、該ホスト装置から送信されたデータに含まれる国情報であってもよい。
【００３８】
また、情報取得部７２には、時期や仕向け国に特有の用紙サイズ（媒体のサイズ）を管理する時期・国テーブルＴ１（図５参照）が設けられている。そして、情報取得部７２は、複合機１１の電源ボタンがオン操作されて制御装置５０への電力供給が開始されると、時期情報及び国情報を取得する。続いて、情報取得部７２は、取得した時期や仕向け国に対応する用紙サイズが時期・国テーブルＴ１にあるか否かを判定する。取得した時期や仕向け国に対応する用紙サイズが時期・国テーブルＴ１にある場合、情報取得部７２は、取得した時期や仕向け国に対応する用紙サイズを表示制御部７５に出力する。したがって、本実施形態では、情報取得部７２が、時期取得手段として機能すると共に、サイズ記憶手段としても機能する。
【００３９】
ここで、時期・国テーブルＴ１について図５を参照して説明する。
図５に示すように、時期・国テーブルＴ１は、時期及び仕向け国と用紙サイズとを対応付けて記憶している。例えば、「９月〜１０月」の時期で仕向け国が「日本」である場合には、写真（Ｌ判）が対応付けられている。これは、「９月〜１０月」という時期の日本では、運動会が開催されるために写真印刷で複合機１１がよく利用されるためである。
【００４０】
また、「１１月〜１月」の時期で仕向け国が「日本」である場合には、写真（Ｌ判）が対応付けられている。これは、「１１月〜１月」という時期の日本では、年賀状の作成に複合機１１がよく利用されるためである。また、「１０月〜１２月」の時期で仕向け国が「米国」である場合には、写真（Ｌ判）が対応付けられている。これは、「１０月〜１２月」という時期の米国では、クリスマスカードの作成に複合機１１がよく利用されるためである。
【００４１】
図３に戻り、回数管理部７３は、計数部７３１と回数テーブルＴ２（図６参照）とを有している。計数部７３１は、複合機１１で実行可能な各機能（画像読み取り機能であるスキャン、印刷機能であるコピー、カード印刷、定型印刷）の選択回数を機能毎に計数している。そして、計数部７３１は、その計数結果を回数テーブルＴ２に保管させる。したがって、本実施形態では、計数部７３１が、各機能のうち何れか一つの機能が選択された場合に、該選択された機能の選択回数を計数する計数手段として機能する。また、回数テーブルＴ２を有する回数管理部７３が、計数部（計数手段）７３１によって計数された選択回数を機能毎に管理する回数管理手段として機能する。
【００４２】
ここで、回数テーブルＴ２について図６を参照して説明する。
図６に示すように、回数テーブルＴ２は、各機能とその選択回数とを対応付けて記憶している。例えば、コピー機能の選択回数は、「１２５回」とされている。これは、ユーザーによる操作部４２の操作によってコピー機能が選択されて複合機１１が駆動した回数が「１２５回」に達したことを示している。また、スキャン機能の選択回数は「３０回」とされると共に、カード印刷機能の選択回数は「１０１回」とされ、さらに、定型印刷機能の選択回数は「３０回」とされる。なお、機能毎の選択回数は、ユーザーが機能を選択して複合機１１を駆動させる毎に適宜変更される値である。
【００４３】
図３に戻り、基準変更部７４は、基準画面がどういった画面であるのかを記憶する基準記憶部７４１を有している。基準画面とは、複合機１１の電源ボタンがオン操作されて当該複合機１１への電力供給が開始されたことを契機に、所定の初動処理を複合機１１が実行した直後に表示装置４１が表示する画面のことである。また、複合機１１がスリーピングモードになって表示装置４１が消灯された状態でスリーピングモードから通常モードに複合機１１が復帰した場合には、基準画面に設定された画面が表示装置４１に表示される。つまり、基準画面とは、ユーザーが複合機１１を駆動させるべく機能や条件を選択操作する際に、最初に視認する画面であるといってもよい。なお、ここでいう「複合機１１の初動処理」とは、複合機１１を構成する各駆動源の動作確認するための処理などを含んでいる。
【００４４】
なお、「スリーピングモード」とは、省電力の待機電源モードのことであり、「スタンバイモード」や「サスペンドモード」ともいう。
基準変更部７４は、回数テーブルＴ２から各機能の選択回数を取得し、各機能のうち選択回数が予め設定された回数基準値（例えば１００回）以上となる機能があるか否かを判定する。この回数基準値は、ユーザーによる機能の選択の傾向を適切に把握するために設定された判定値である。そして、基準変更部７４は、選択回数が回数基準値以上となる機能がない場合には、図４（ａ）に示す機能選択用画面が基準画面である旨を基準情報として基準記憶部７４１に記憶させる。
【００４５】
一方、基準変更部７４は、選択回数が回数基準値以上となる機能がある場合には、当該機能に対応する画面、即ち条件選択用画面が基準画面である旨を基準情報として基準記憶部７４１に記憶させる。例えば、選択回数が回数基準値以上となる機能がコピー機能である場合、基準変更部７４は、図４（ｂ）に示す条件選択用画面が基準画面である旨を基準情報として基準記憶部７４１に記憶させる。なお、選択回数が回数基準値以上となる機能が複数ある場合もある。この場合、基準変更部７４は、選択回数が回数基準値以上となる各機能のうち、選択回数が最も多い機能に対応する条件選択用画面が基準画面である旨を基準情報として基準記憶部７４１に記憶させる。したがって、本実施形態では、基準変更部７４が、基準変更手段として機能する。
【００４６】
表示制御部７５は、情報取得部７２、画面記憶部７１及び基準変更部７４から入力された情報に基づき表示装置４１に表示される画面の表示態様を制御する。また、表示制御部７５は、ユーザーによる操作部４２の操作に応じた制御指令を受信した場合に、該受信した制御指令の内容を回数管理部７３、印刷指示部７６及びスキャン指示部７７に適宜出力する。
【００４７】
具体的には、表示制御部７５は、基準画面を表示装置４１に表示させるタイミングになった場合、基準変更部７４に対して基準画面を特定するための基準情報を要求する。そして、表示制御部７５は、要求に対する返答として基準変更部７４から基準情報が入力されると、該基準情報が示す基準画面に対応する画面データを画面記憶部７１から取得し、該取得した画面データに基づいた画面、即ち基準画面を表示装置４１に表示させる。例えば、表示制御部７５は、基準画面が機能選択用画面とされる場合には機能選択用画面を表示装置４１に表示させる一方、基準画面がコピー機能に対応する条件選択用画面である場合には図４（ｂ）に示す条件選択用画面を表示装置４１に表示させる。したがって、本実施形態では、表示制御部７５が、表示制御手段として機能する。
【００４８】
また、表示制御部７５は、ユーザーによって操作部４２が操作された場合には、その操作内容に応じた画面データを画面記憶部７１から取得し、該取得した画面データに基づいた画面を表示装置４１に表示させる。例えば、表示装置４１が機能選択用画面を表示した状態で各機能のうち何れか一つの機能（例えば、コピー機能）が選択された場合、表示制御部７５は、選択された機能に対応する条件選択用画面に関する画面データを画面記憶部７１から取得し、該取得した画面データに基づいた条件選択用画面を表示装置４１に表示させる。また、表示装置４１が図４（ｂ）に示す条件選択用画面を表示した状態で各条件のうち何れか一つの条件（例えば、画質設定）が選択された場合、表示制御部７５は、選択された条件に対応する内容設定用画面に関する画面データを画面記憶部７１から取得し、内容設定用画面を表示装置４１に表示させる。
【００４９】
なお、コピー機能などに代表される印刷機能で、用紙設定を変更しようとすべくユーザーが操作部４２を操作した場合、表示制御部７５は、情報取得部７２に対して、現在の時期及び複合機１１の仕向け国に対応する用紙サイズが時期・国テーブルＴ１にあるか否かの判定結果を要求する。そして、表示制御部７５は、情報取得部７２から、現在の時期及び仕向け国に対応する用紙サイズが時期・国テーブルＴ１にない旨が入力された場合には、用紙サイズを選択させるための内容設定用画面（図４（ｃ）参照）を表示装置４１に表示させる。一方、表示制御部７５は、情報取得部７２から、現在の時期及び仕向け国に対応する用紙サイズが時期・国テーブルＴ１にある旨と共に、対応する用紙サイズ（例えば、葉書サイズ）が入力された場合には、用紙の種類を選択させるための内容設定用画面（図４（ｄ）参照）を表示装置４１に表示させる。ただし、図４（ｄ）に示す内容設定用画面を表示装置４１が表示した状態で「バック」が選択された場合、表示制御部７５は、図４（ｃ）に示す内容設定用画面を表示装置４１に表示させ、ユーザーに用紙サイズを選択させる。
【００５０】
そして、表示制御部７５は、印刷機能をスタートさせる旨が操作部４２から入力された場合には、印刷機能をプリンター部２０に実行させるために必要な各種条件、即ち各種印刷条件と印刷指令を印刷指示部７６に出力する。一方、表示制御部７５は、画像読み取り機能をスタートさせる旨が操作部４２から入力された場合には、画像読み取り機能をスキャナー部３０に実行させるために必要な各種条件、即ち各種スキャン条件とスキャン指令をスキャン指示部７７に出力する。
【００５１】
なお、コピー機能とは、スキャナー部３０で読み取った画像をプリンター部２０で印刷する機能である。そのため、コピー機能が選択された状態でスタートボタンが操作されると、表示制御部７５は、スキャン指示部７７及び印刷指示部７６にスキャン指令及び印刷指令を出力する。
【００５２】
印刷指示部７６は、表示制御部７５から印刷指令が入力された場合、印刷指令及び各種印刷条件を印刷用コントローラー部９０に出力する。同様に、スキャン指示部７７は、表示制御部７５からスキャン指令が入力された場合、スキャン指令及び各種スキャン条件をスキャン用コントローラー部８０に出力する。
【００５３】
スキャン用コントローラー部８０は、初期値記憶部８１、スキャン条件記憶部８２、指示受付部８３及びスキャン制御部８４を有している。初期値記憶部８１は、スキャナー部３０を駆動させるために必要な各種スキャン条件（例えば、読み取る画像の解像度）の初期値を記憶している。原稿台１３にセットされた原稿の画像読み取りを行う際にユーザーによる操作部４２の操作によってスキャン条件が設定されなかった場合には、初期値記憶部８１に記憶される各種スキャン条件の初期値に基づき、スキャナー部３０が駆動することになる。
【００５４】
スキャン条件記憶部８２は、複合機１１の電源ボタンがオン操作されると、初期値記憶部８１から各種スキャン条件の初期値を読み出し、該各種スキャン条件の初期値を記憶する。
【００５５】
指示受付部８３は、表示用コントローラー部７０のスキャン指示部７７から、ユーザーによって設定されたスキャン条件が入力されると、該入力されたスキャン条件と、スキャン条件記憶部８２に記憶されるスキャン条件とを比較する。この比較の結果、表示用コントローラー部７０から入力されたスキャン条件とスキャン条件記憶部８２に記憶されるスキャン条件とが異なる場合、指示受付部８３は、表示用コントローラー部７０から入力されたスキャン条件をスキャン条件記憶部８２に記憶させる。
【００５６】
スキャン制御部８４は、表示用コントローラー部７０のスキャン指示部７７からスキャン指令が入力されると、スキャン条件記憶部８２からスキャン条件を取得し、該スキャン条件に基づきスキャナー部３０を制御する。そして、スキャン制御部８４は、スキャナー部３０の駆動によって取得した画像データをプリンター部２０に出力（転送）する。
【００５７】
印刷用コントローラー部９０は、初期値記憶部９１、印刷条件記憶部９２、指示受付部９３、画像データ記憶部９４及び印刷制御部９５を有している。初期値記憶部９１は、プリンター部２０を駆動させるために必要な各種印刷条件の初期値を記憶している。印刷指令が入力される前までにユーザーによる操作部４２の操作によって印刷条件が設定されなかった場合には、初期値記憶部９１に記憶される各種印刷条件の初期値に基づき、プリンター部２０が駆動することになる。
【００５８】
印刷条件記憶部９２は、複合機１１の電源ボタンがオン操作されると、初期値記憶部９１から各種印刷条件の初期値を読み出し、該各種印刷条件の初期値を記憶する。
指示受付部９３は、表示用コントローラー部７０の印刷指示部７６から、ユーザーによって設定された印刷条件が入力されると、該入力された印刷条件と、印刷条件記憶部９２に記憶される印刷条件とを比較する。この比較の結果、表示用コントローラー部７０から入力された印刷条件と印刷条件記憶部９２に記憶される印刷条件とが異なる場合、指示受付部９３は、表示用コントローラー部７０から入力された印刷条件を印刷条件記憶部９２に記憶させる。
【００５９】
画像データ記憶部９４は、用紙Ｐに印刷する画像に関する画像データを記憶するようになっている。例えば、スキャナー部３０で画像データが取得された場合には、画像データが画像データ記憶部９４に記憶される。また、スロット１５にセットされたメモリーカードＭＣに記憶される画像データを用いて印刷を行う場合には、該画像データが画像データ記憶部９４に記憶される。さらに、複合機１１に接続されたホスト装置ＨＣから画像データを受信した場合には、該画像データが画像データ記憶部９４に記憶される。
【００６０】
印刷制御部９５は、表示用コントローラー部７０の印刷指示部７６から印刷指令が入力されると、印刷条件記憶部９２から印刷条件を取得すると共に、画像データ記憶部９４から画像データを取得する。そして、印刷制御部９５は、取得した印刷条件及び画像データに基づきプリンター部２０を制御する。
【００６１】
次に、本実施形態の表示用コントローラー部７０が実行する基準変更処理ルーチン及び印刷条件判定処理ルーチンについて、図７及び図８に示すフローチャートを参照して説明する。基準変更処理ルーチンは、上述した基準画面の設定を変更するための処理ルーチンである。また、印刷条件判定処理ルーチンは、実行する機能が印刷機能（例えば、コピー機能、カード印刷機能、定型印刷機能）であって、表示装置４１が図４（ｂ）に示す条件選択用画面を表示する際に実行される処理ルーチンである。
【００６２】
まず始めに、基準変更処理ルーチンについて説明する。
さて、基準変更処理ルーチンは、表示装置４１が機能選択用画面を表示する際に実行される。こうした基準変更処理ルーチンにおいて、表示用コントローラー部７０は、複合機１１で実行可能な機能のうち何れか一つの機能が選択されたか否かを判定する（ステップＳ１０）。機能が未選択である場合（ステップＳ１０：ＮＯ）、表示用コントローラー部７０は、機能が選択されるまでステップＳ１０の判定処理を繰り返し実行する。一方、機能が選択された場合（ステップＳ１０：ＹＥＳ）、表示用コントローラー部７０は、ユーザーによって選択された機能の選択回数を「１」だけインクリメントする（ステップＳ１１）。例えば、ユーザーがカード印刷機能を選択した場合、表示用コントローラー部７０は、回数テーブルＴ２（図６参照）に記憶されるカード印刷機能の選択回数を「１０１回」から「１０２回」とする。この点で、本実施形態では、ステップＳ１１が、計数ステップに相当する。
【００６３】
続いて、表示用コントローラー部７０は、回数テーブルＴ２に、選択回数が回数基準値以上となる機能があるか否かを判定する（ステップＳ１２）。選択回数が回数基準値以上となる機能がない場合（ステップＳ１２：ＮＯ）、表示用コントローラー部７０は、基準画面を変更せずに基準変更処理ルーチンを終了する。一方、選択回数が回数基準値以上となる機能がある場合（ステップＳ１２：ＹＥＳ）、表示用コントローラー部７０は、基準画面を変更する（ステップＳ１３）。具体的には、表示用コントローラー部７０は、選択回数が回数基準値以上となる機能が一つのみである場合には、当該機能に対応する条件設定用画面を基準画面とし、基準変更処理ルーチンを終了する。一方、表示用コントローラー部７０は、選択回数が回数基準値以上となる機能が複数ある場合には、選択回数の最も多い機能に対応する条件設定用画面を基準画面とし、基準変更処理ルーチンを終了する。したがって、本実施形態では、ステップＳ１３が、基準変更ステップに相当する。
【００６４】
次に、印刷条件判定処理ルーチンについて説明する。
さて、印刷条件判定処理ルーチンは、図４（ｂ）に示す条件選択用画面が表示装置４１に表示される場合には所定周期毎に実行される。そして、印刷条件判定処理ルーチンにおいて、表示用コントローラー部７０は、条件選択用画面で示す各印刷条件のうち、「用紙設定」が選択されたか否かを判定する（ステップＳ２０）。「用紙設定」以外の他の印刷条件が選択された場合又は印刷条件が未選択である場合（ステップＳ２０：ＮＯ）、表示用コントローラー部７０は、印刷条件判定処理ルーチンを一旦終了する。一方、「用紙設定」が選択された場合（ステップＳ２０：ＹＥＳ）、表示用コントローラー部７０は、現在の時期及び複合機１１の仕向け国を取得し（ステップＳ２１）、取得した時期及び仕向け国に対応する用紙サイズが時期・国テーブルＴ１（図５参照）にあるか否かを判定する（ステップＳ２２）。
【００６５】
取得した時期及び仕向け国に対応する用紙サイズが時期・国テーブルＴ１にない場合（ステップＳ２２：ＮＯ）、表示用コントローラー部７０は、用紙サイズを選択させるための内容選択用画面（図４（ｃ）参照）を表示装置４１に表示させる（ステップＳ２３）。続いて、表示用コントローラー部７０は、用紙サイズがユーザーによって選択されたか否かを判定する（ステップＳ２４）。用紙サイズが未選択である場合（ステップＳ２４：ＮＯ）、表示用コントローラー部７０は、用紙サイズが選択されるまでステップＳ２４の判定処理を繰り返し実行する。一方、用紙サイズが選択された場合（ステップＳ２４：ＹＥＳ）、表示用コントローラー部７０は、その処理を後述するステップＳ２６に移行する。なお、図４（ｃ）に示す内容選択用画面を表示装置４１が表示した状態でユーザーが「バック」を選択した場合、表示用コントローラー部７０は、印刷条件判定処理ルーチンを一旦終了し、図４（ａ）に示す機能選択用画面を表示装置４１に表示させる。
【００６６】
その一方で、取得した時期及び仕向け国に対応する用紙サイズが時期・国テーブルＴ１にある場合（ステップＳ２２：ＹＥＳ）、表示用コントローラー部７０は、取得した時期及び仕向け国に対応する用紙サイズを時期・国テーブルＴ１から読み出して特定する（ステップＳ２５）。例えば、時期が「１０月」で仕向け国が「日本」である場合、表示用コントローラー部７０は、用紙サイズを写真（Ｌ判）に特定する。その後、表示用コントローラー部７０は、その処理を次のステップＳ２６に移行する。
【００６７】
ステップＳ２６において、表示用コントローラー部７０は、用紙の種類を選択させるための内容選択用画面を表示装置４１に表示させる。なお、ここで表示装置４１に表示させる内容選択用画面は、特定された用紙サイズに対応した内容選択用画面である。続いて、表示用コントローラー部７０は、用紙の種類がユーザーによって選択されたか否かを判定する（ステップＳ２７）。用紙の種類が未選択である場合（ステップＳ２７：ＮＯ）、表示用コントローラー部７０は、用紙の種類が選択されるまでステップＳ２７の判定処理を繰り返し実行する。一方、用紙の種類が選択された場合（ステップＳ２７：ＹＥＳ）、表示用コントローラー部７０は、その処理を次のステップＳ２８に移行する。なお、用紙の種類を選択させるための内容選択用画面（例えば、図４（ｃ）に示す画面）を表示装置４１が表示した状態でユーザーが「バック」を選択した場合、表示用コントローラー部７０は、その処理を前述したステップＳ２３に移行する。
【００６８】
ステップＳ２８において、表示用コントローラー部７０は、条件選択用画面（例えば、図４（ａ）に示す画面）を表示装置４１に表示させる。その後、表示用コントローラー部７０は、印刷条件判定処理ルーチンを一旦終了する。
【００６９】
上記実施形態によれば、以下のような効果を得ることができる。
（１）複合機１１で実行可能な各機能のうち何れか一つの機能がユーザーによって選択されると、その選択回数が計数される。こうした選択回数は、機能毎に回数管理部７３で管理される。そして、基準画面は、回数管理部７３で管理される選択回数が最も多い機能に対応する条件選択用画面に変更される。選択回数が最も多い機能（以下、「最多機能」ともいう。）とは、ユーザーが利用する可能性が最も高い機能である。そのため、最多機能を複合機１１に実行させようとするユーザーは、基準画面が最多機能に対応する条件選択用画面であるため、機能の選択を行わないで、当該最多機能を複合機１１に実行させるための条件の設定を行えばよい。したがって、ユーザーによる選択回数を少なくし、複合機１１を駆動させるための条件の設定を速やかに完了させることができる。
【００７０】
（２）本実施形態では、基準画面を、ユーザーの過去の選択履歴に基づいた画面としている。そのため、特に、複合機１１に特定の機能（例えば、葉書への印刷）しか実行させないユーザーにとっては、複合機１１を利用する度に特定の機能を一々選択する手間を省くことができ、複合機１１を非常に使い勝手のよい装置とすることができる。
【００７１】
（３）選択回数が回数基準値以上となる機能がある場合、基準画面は、選択回数が回数基準値以上となる機能に対応する条件選択用画面に変更される。ここで、回数基準値は、ユーザーによる機能の選択の傾向を適切に把握するために設定された判定値である。そのため、ユーザーの意図に反して、基準画面が不用意に変更されることを回避することができる。
【００７２】
（４）機能に対応する条件選択用画面を表示装置４１が表示する場合には、当該機能を複合機１１で実行させるために必要な各種条件のうち、内容を変更させる条件の選択がユーザーに促される。そして、ユーザーによって内容を変更させる条件が選択されると、該選択された条件に対応する画面として内容選択用画面が表示装置４１に表示される。このように各種画面を階層的に用意しておくことにより、ユーザーに条件の内容を適切に選択させることができる。
【００７３】
（５）時期特有の用紙サイズとは、その時期に印刷でよく利用される用紙サイズ（例えば、葉書サイズ、写真サイズ）のことを示している。本実施形態では、時期特有の用紙サイズが時期・国テーブルＴ１に記憶されている。そして、取得した時期に特有の用紙サイズが時期・国テーブルＴ１に記憶されていない場合において、印刷時の各種条件のうち、変更する条件として「用紙設定」をユーザーが選択したときには、用紙サイズを選択するための内容選択用画面が表示装置４１に表示される。この状態で、用紙サイズの選択が完了すると、表示装置４１には、用紙の種類（例えば、普通紙、再生紙）を選択するための内容選択用画面が表示される。すなわち、印刷機能を複合機１１に実行させるために、用紙サイズ、用紙の種類の順に、印刷条件をユーザーに選択させている。
【００７４】
その一方で、取得した時期に特有の用紙サイズが時期・国テーブルＴ１に記憶される場合において、印刷時の各種条件のうち、変更する条件として「用紙設定」をユーザーが選択したときには、表示装置４１は、用紙サイズを選択するための内容選択用画面ではなく、用紙の種類を選択するための内容選択用画面を表示する。つまり、ユーザーによる選択操作がなされる前に、用紙サイズは決定済みであるとされ、その次の条件の設定が促される。そのため、印刷を施す用紙サイズとして時期に特有の用紙サイズを選択して印刷を行う予定のユーザーにとっては、用紙サイズを選択するための操作を省略できる分、条件設定時における選択回数を少なくすることができる。
【００７５】
なお、上記実施形態は以下のように変更してもよい。
・実施形態において、表示用コントローラー部７０は、情報取得部７２を省略した構成であってもよい。この場合、時期特有の用紙サイズを自動的に設定できなくなる。こうした構成であっても、基準画面は、各機能の選択回数に基づいた画面に設定される。
【００７６】
・実施形態において、回数基準値を設けなくてもよい。
・実施形態において、印刷機能を複合機１１に実行させるための印刷条件として、用紙サイズ、縁あり印刷か縁なし印刷か、用紙品質（高詳細モード又はドラフトモード）、及び印刷時の色彩（カラー又はモノクロ）のうち少なくとも一つの条件を用意してもよい。
【００７７】
・図４（ｂ）に示す用紙サイズを決定するための内容設定用画面が表示された状態で、各サイズのうち何れか一つのサイズ（例えばＡ４サイズ）が選択された場合には、その選択回数をインクリメントさせてもよい。こうした選択回数の計数は、回数管理部７３の計数部７３１で行ってもよいし、計数部７３１とは別途設けられた他の計数部によって行ってもよい。すなわち、ユーザーによって選択された用紙サイズの選択回数を個別に管理するようにしてもよい。そして、選択回数が予め設定された回数基準値以上となる用紙サイズがある場合には、図４（ｂ）に示す内容設定用画面の代わりに、図４（ｃ）に示す用紙の種類を決定するための内容設定用画面を表示装置４１に表示させてもよい。すなわち、選択回数が回数基準値以上となるような用紙サイズ（例えば、Ａ４サイズ）がある場合には、複合機１１で印刷に用いられる用紙サイズをＡサイズと決定し、用紙サイズの選択をユーザーに一々行わせなくてもよい。このように構成することにより、複合機１１に印刷を行わせる際にユーザーが行う設定操作の回数を少なくすることができる。
【００７８】
なお、選択回数が回数基準値以上となるような用紙サイズ（例えば、Ａ４サイズと葉書サイズ）がある場合には、選択回数が最も多い用紙サイズ（例えば、葉書サイズ）を、印刷する用紙のサイズと自動的に設定してもよい。
【００７９】
・表示装置４１が機能選択用画面を表示した状態で「カード印刷」が選択された場合、複合機１１にカード印刷（即ち、葉書への印刷）機能を実行させる際に変更させる条件をユーザーに選択させるための条件選択用画面を表示装置４１に表示させる。しかし、カード印刷機能が選択された場合には、印刷条件を、カード印刷機能用として予め設定された印刷条件に決定し、印刷可能な氏名や住所などを示す住所録を表示装置４１に表示させるようにしてもよい。つまり、使用する用紙のサイズや種類などの各種条件が一義的に決まるような機能が選択された場合には、変更する条件を選択させるような画面、即ち条件選択用画面を表示装置４１に表示させないで、その代わりに、複合機１１を駆動させるために必要な情報を設定又は選択させるための画面を表示装置４１に表示させるようにしてもよい。このように構成することにより、複合機１１を駆動させるためにユーザーが行う設定操作の回数を少なくすることができる。
【００８０】
なお、複合機１１を駆動させるために必要な情報を設定又は選択させるための画面としては、上記機能が葉書への印刷に関する機能である場合には、複合機１１を駆動させるために必要な情報の一例として住所録を表示する画面であってもよい。また、上記機能がファクシミリ機能である場合には、複合機１１を駆動させるために必要な情報の一例として送信先の電話番号を選択又は設定するための画面であってもよい。
【００８１】
住所録を表示装置４１に表示させるためには、複合機１１に、住所録を記憶するメモリーを設ける必要がある。なお、こうしたメモリーは、書き換え可能なメモリーであることが好ましい。
【００８２】
・実施形態において、複合機１１は、印刷機能の他の機能としてファクシミリ機能を実行可能な装置であってもよい。ファクシミリ機能を実行可能な複合機１１は、画像読み取り機能を実行不能な装置であってもよい。
【００８３】
・実施形態において、プリンター部２０は、ドットインパクト方式、レーザー方式などの他の印刷方式で媒体に印刷できる機能駆動部であってもよい。
・実施形態において、印刷される媒体は、布や樹脂フィルム、樹脂シート、金属シートなどの任意の媒体であってもよい。
【００８４】
・実施形態において、印刷装置を、インク以外の他の流体を噴射したり吐出したりする流体噴射装置に具体化してもよい。また、印刷装置を、微小量の液滴を吐出させる液体噴射ヘッド等を備える各種の液体噴射装置に具体化してもよい。この場合、液滴とは、上記液体噴射装置から吐出される液体の状態を言い、粒状、涙状、糸状に尾を引くものも含むものとする。また、ここでいう液体とは、液体噴射装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状体、また物質の一状態としての液体のみならず、顔料や金属粒子などの固形物からなる機能材料の粒子が溶媒に溶解、分散または混合されたものなどを含む。なお、流体は、トナーなどの粉粒体でもよい。また、ここでいう流体には、気体のみからなるものは含まないものとする。
【００８５】
次に、上記実施形態及び別の実施形態から把握できる技術的思想を以下に追記する。
（イ）前記表示制御手段は、
前記表示装置が前記機能選択用画面を表示する状態で、前記各機能のうち、各種条件が予め設定された機能が選択された場合には、
前記印刷装置を駆動させるために必要な情報を設定又は選択させるための画面を前記表示装置に表示させることを特徴とする表示制御装置。
【００８６】
上記構成によれば、各種条件が予め設定された機能をユーザーが選択した場合には、該機能を印刷装置に実行させるために各種条件をユーザーに設定させなくてもよいと判断され、条件選択用画面が表示装置に表示されない。つまり、ユーザーは、表示装置に表示される画面を、条件選択用画面から前記印刷装置を駆動させるために必要な情報を設定又は選択させるための画面に変更するための操作を行わなくてもよい。そのため、印刷装置を駆動させるためにユーザーが行う設定操作の回数を少なくすることができる。
【００８７】
（ロ）前記計数手段は、前記表示装置が前記機能選択用画面を表示する状態で印刷機能が選択された場合において、印刷される媒体のサイズが選択されたときには、その選択回数を計数し、
前記表示制御手段は、
前記表示装置が前記機能選択用画面を表示する状態で印刷機能が選択された場合において、選択回数が予め設定された回数基準値以上となる媒体のサイズがないときには、
媒体のサイズを設定させるための画面を前記表示装置に表示させ、その後、媒体のサイズが設定された場合には媒体の種類を設定させるための画面を前記表示装置に表示させる一方、
前記表示装置が前記機能選択用画面を表示する状態で印刷機能が選択された場合において、選択回数が前記回数基準値以上となる媒体のサイズがあるときには、
媒体の種類を設定させるための画面を前記表示装置に表示させることを特徴とする表示制御装置。
【００８８】
上記構成によれば、各媒体のサイズのうち何れか一つのサイズ（例えばＡ４サイズ）が選択された場合には、その選択回数が計数される。すなわち、ユーザーによって選択された媒体のサイズの選択回数は、媒体のサイズ毎に管理される。そして、選択回数が回数基準値以上となる媒体のサイズがない場合には、ユーザーに、媒体のサイズを設定させ、その後、媒体の種類を設定させる。
【００８９】
その一方で、選択回数が回数基準値以上となる媒体のサイズがない場合には、ユーザーによる設定操作を行わせることなく、媒体のサイズを選択回数が回数基準値以上となる媒体のサイズ（例えばＡ４サイズ）に自動的に設定される。その結果、表示装置には、媒体の種類を設定させるための画面が表示される。選択回数が回数基準値以上となる媒体のサイズとは、ユーザーによって最も選択される可能性の高いサイズであると考えられる。そのため、媒体のサイズの設定操作をユーザーに行わせなくてもよい分、印刷装置に印刷機能を実行させる際にユーザーが行う設定操作の回数を少なくすることができる。
【符号の説明】
【００９０】
１１…印刷装置の一例としての複合機、４１…表示装置、７０…表示制御装置として機能する表示用コントローラー部、７２…時期取得手段、サイズ記憶手段として機能する情報取得部、７３…回数管理手段として機能する回数管理部、７３１…計数手段として機能する計数部、７４…基準変更手段として機能する基準変更部、７５…表示制御手段として機能する表示制御部。
【図１】
2012135937.tif 000003
【図２】
2012135937.tif 000004
【図３】
2012135937.tif 000005
【図４】
2012135937.tif 000006
【図５】
2012135937.tif 000007
【図６】
2012135937.tif 000008
【図７】
2012135937.tif 000009
【図８】
2012135937.tif 000010